(57)【要約】      （修正有）【課題】患者の胸部にしっかりと取り付け可能な心電図検査装置を提供する。【解決手段】心電図検査装置は、接着アセンブリ１００と、プリント回路基板２００と、２つの電極３００と、電源アセンブリ５００と、検出アセンブリ４００と、を備える。プリント回路基板は、接着アセンブリ上に配置される。各電極は、プリント回路基板に接続され、第１方向Ｘに沿って配置される。電源アセンブリ及び検出アセンブリは、接着アセンブリ上に配置され、第２方向Ｙに沿って配置される。第１方向は第２方向と異なっており、電源アセンブリ及び検出アセンブリは、互いに離間している。【選択図】図１
0003220800.tif 000002
【実用新案登録請求の範囲】
【請求項１】
接着アセンブリと、
前記接着アセンブリ上に配置されたプリント回路基板と、
前記プリント回路基板に接続されており、第１方向に沿って配置された２つの電極と、
前記接着アセンブリ上に配置されており、前記プリント回路基板に接続された電源アセンブリと、
前記接着アセンブリ上に配置されており、前記プリント回路基板に接続された検出アセンブリと、を備え、
前記電源アセンブリ及び前記検出アセンブリは、前記第１方向とは異なる第２方向に沿って配置されており、前記電源アセンブリ及び前記検出アセンブリは、互いに離間している、ことを特徴とする心電図検査装置。
【請求項２】
前記第１方向は、前記第２方向に対してほぼ垂直である、ことを特徴とする請求項１に記載の心電図検査装置。
【請求項３】
前記各電極間の距離は、前記電源アセンブリと前記検出アセンブリとの間の距離よりも大きい、ことを特徴とする請求項１に記載の心電図検査装置。
【請求項４】
前記電源アセンブリは、
前記接着アセンブリに固定された下部カバーと、
前記下部カバーに対して取り外し可能に接続されており、収容空間を形成する上部カバーと、
前記収容空間内に配置された電源部材と、を備える、
ことを特徴とする請求項３に記載の心電図検査装置。
【請求項５】
前記電源部材は、一次電池又は充電式電池である、ことを特徴とする請求項４に記載の心電図検査装置。
【請求項６】
前記検出アセンブリは、基部と、検出部材と、を有しており、前記基部は前記接着アセンブリに固定されており、前記検出部材は、前記基部に対して取り外し可能に接続されている、ことを特徴とする請求項１に記載の心電図検査装置。
【請求項７】
前記検出部材は、上面と、底面と、押圧部と、を有しており、前記上面は前記底面の反対側に存在し、前記押圧部は前記上面に形成されており、前記上面と前記底面との間の距離は、前記押圧部と前記底面との間の距離よりも大きい、ことを特徴とする請求項６に記載の心電図検査装置。
【請求項８】
前記検出部材は接続ポートを有しており、前記基部はブロックプレートを有しており、前記検出部材が前記基部に接続されると、前記ブロックプレートが前記接続ポートを遮蔽する、ことを特徴とする請求項６に記載の心電図検査装置。
【請求項９】
前記プリント回路基板に接続されており、前記基部を通過する導電部材をさらに備える、ことを特徴とする請求項６に記載の心電図検査装置。
【請求項１０】
前記接着アセンブリは、透過層と、保護層と、を有しており、前記プリント回路基板は、前記透過層と前記保護層との間に配置されている、ことを特徴とする請求項１に記載の心電図検査装置。
【考案の詳細な説明】
【技術分野】
【０００１】
本考案は、心電図検査装置に関し、特に、携帯型心電図検査装置に関する。
【背景技術】
【０００２】
心電図検査（ＥＣＧ）は、皮膚上に配置された電極を使用して、ある期間に亘る心臓の電気的活動を記録するプロセスである。この記録プロセスは非侵襲的である。
【０００３】
医療上、心臓の電気的活動を得るために、携帯型心電図検査装置が広く用いられている。正しい電気的活動を得るためには、心電図検査電極の適切な配置及び接続が必要になる。しかし、従来の携帯型心電図検査装置は、電池及びとセンサの体積の制限のために、通常、ヒト患者の胸部にしっかりと取り付けることができない。よって、上記の問題にどのように対処するかが重要な課題となっている。
【考案の概要】
【考案が解決しようとする課題】
【０００４】
本考案は、心電図検査装置を提供することを目的とする。
【課題を解決するための手段】
【０００５】
従来の製品の問題を解決するために、本考案の一実施形態は、接着アセンブリと、プリント回路基板と、２つの電極と、電源アセンブリと、検出アセンブリと、を含む心電図検査装置を提供する。プリント回路基板は、接着アセンブリ上に配置されている。各電極は、プリント回路基板に接続されており、第１方向に沿って配置されている。電源アセンブリ及び検出アセンブリは、接着アセンブリ上に配置されており、第２方向に沿って配置されている。第１方向は第２方向と異なっており、電源アセンブリ及び前記検出アセンブリは、互いに離間している。
【０００６】
いくつかの実施形態において、第１方向は、第２方向に対してほぼ垂直であり、電極間の距離は、電源アセンブリと検出アセンブリとの間の距離よりも大きい。電源アセンブリは、下部カバーと、上部カバーと、電源部材と、を有する。下部カバーは、接着アセンブリに固定されている。上部カバーは、下部カバーに対して取り外し可能に接続されており、収容空間を形成する。電源部材は、収容空間内に配置されており、一次電池又は充電式電池である。
【０００７】
いくつかの実施形態において、検出アセンブリは、基部と、検出部材と、を有しており、基部は接着アセンブリに固定されており、検出部材は、基部に対して取り外し可能に接続されている。検出部材は、上面と、底面と、押圧部と、を有しており、上面は底面の反対側に存在し、押圧部は上面に形成されている。上面と底面との間の距離は、押圧部と底面との間の距離よりも大きい。また、検出部材は、接続ポートを有しており、基部は、ブロックプレートを有している。検出部材が基部に接続されると、ブロックプレートが接続ポートを遮蔽する。さらに、導電部材を、基部を通過して、プリント回路基板に接続することができる。
【０００８】
いくつかの実施形態において、接着アセンブリは、透過層と、保護層と、を有しており、プリント回路基板は、透過層と保護層との間に配置されている。電極は、プリント回路基板に接続されており、透過層から露出している。
【考案の効果】
【０００９】
本考案の心電図検査装置は、ヒト患者の胸部にしっかりと取り付けることができる。
【００１０】
本考案の実施形態は、図面及び以下の詳細な説明を参照する。
【図面の簡単な説明】
【００１１】
【図１】本考案の一実施形態による心電図検査装置を示す図である。
【図２】本考案の一実施形態による図１のＡ−Ａ線に沿った断面図である。
【図３Ａ】本考案の一実施形態による心電図検査装置の立体分解図である。
【図３Ｂ】本考案の一実施形態による図１のＢ−Ｂ線に沿った断面図である。
【図３Ｃ】本考案の別の実施形態による心電図検査装置を示す図である。
【図４】本考案の一実施形態による心電図検査装置の平面図である。
【図５】本考案の一実施形態による人体に取り付けた心電図検査装置を示す図である。
【考案を実施するための形態】
【００１２】
心電図検査装置の実施形態が以下に詳細に説明される。しかし、実施形態は、多種多様な特定の状況で具体化することができる多くの適用可能な考案の概念を提供することを理解されたい。説明する特定の実施形態は、実施形態を製造及び使用するための特定の方法の単なる例示であり、本考案の範囲を限定するものではない。
【００１３】
特に定義されていない限り、本明細書で使用される全ての用語は、当業者によって理解されるのと同じ意味を有する。一般的に使用される辞書で定義される各用語は、相関技術及び背景又は本開示の文脈に一致する意味を有すると解釈されるべきであり、特に定義されていない限り、理想的又は過度に形式的に解釈されるべきではないことを理解されたい。
【００１４】
図１は、本考案の一実施形態を示す図であり、心電図検査装置Ｅは、接着アセンブリ１００と、プリント回路基板２００と、２つの電極３００と、検出アセンブリ４００と、電源アセンブリ５００と、を主に備える。検出アセンブリ４００及び電源アセンブリ５００は、接着アセンブリ１００上に配置可能であり、回路基板２００に電気的に接続され得る。よって、検出アセンブリ４００が必要な電力は、回路基板２００を介して、電源アセンブリ５００によって提供され得る。
【００１５】
図２は、図１のＡ−Ａ線に沿った断面図である。本実施形態において、接着アセンブリ１００は、透過層１１０と、保護層１２０と、を有しており、プリント回路基板２００は、透過層１１０と保護層１２０との間に配置されている。透過層１１０は、貫通孔１１１を有しており、電極３００は、貫通孔１１１から露出して、プリント回路基板２００に電気的に接続されている。電極３００を透過層１１０の底面１１２に揃えることができ、これにより、心電図検査装置Ｅは、一体的な外観を実現することができ、電極３００は、心電図検査装置Ｅが人体に取り付けられたときに、当該人体に接触することができる。
【００１６】
透過層１１０は、接着性、防水性、通気性を有している。例えば、透過層１１０は、ポリテトラフルオロエチレン（ＰＴＦＥ）、ポリウレタン（ＰＵ）、ポリエチレン（ＰＥ）、ポリスチレン（ＰＳ）、ポリ塩化ビニル（ＰＶＣ）、ポリプロピレン（ＰＰ）、ポリメチルメタクリレート（ＰＭＭＡ）、熱可塑性ポリウレタン（ＴＰＵ）、ポリエチレンテレフタレート（ＰＥＴ）、ポリオキシメチレン（ＰＯＭ）、ポリカーボネート（ＰＣ）、ナイロン、又は、これらの組み合わせを有することができるが、これらに限定されない。保護層１２０は、スポンジを有することができる。例えば、保護層１２０は、エチレン酢酸ビニル（ＥＶＡ）スポンジ、ポリウレタンスポンジ、ポリ塩化ビニルスポンジ、ラテックススポンジ、又は、シリカゲルスポンジを有することができるが、これらに限定されない。
【００１７】
図３Ａは、図１の心電図検査装置Ｅの立体分解図であり、図３Ｂは、図１のＢ−Ｂ線に沿った断面図である。図３Ａ及び図３Ｂに示すように、検出アセンブリ４００は、基部４１０と、検出部材４２０と、を有しており、基部は、接着アセンブリ１００に固定されており、検出部材４２０は、基部４１０に対して取り外し可能に接続されている。例えば、基部４１０及び検出部材４２０は、互いに対応するネジ部４１１，４２１を有することができる。ネジ部４１１，４２１を接続することにより、検出部材４２０と基部４１０とを着脱可能に結合することができる。
【００１８】
１つ以上のホール４１２を基部４１０に形成することができ、導電部材４３０は、ホール４１２を介して基部４１０を通過し、プリント回路基板２００に接続して基部４１０上に接点を形成する。導電部材４３０の数はホール４１２の数に対応する。検出部材４２０が基部４１０に結合されると、検出部材４２０は、プリント回路基板２００に電気的に接続するように、接点（導電部材４３０）に接触することができる。さらに、Ｏ型リング４４０を、基部４１０上に配置することができる。検出部材４２０が基部４１０に結合されると、Ｏ型リング４４０は、検出部材４２０と基部４１０との間に位置し、これらの間のギャップを、Ｏ型リング４４０によって埋めることができる。したがって、水や異物の侵入を抑制することによって、部材のショートや他の損傷を防ぐことができる。
【００１９】
検出部材４２０は、上面４２２と、底面４２３と、周面４２４と、を有する。上面４２２は、底面４２３の反対側に存在し、周面４２４は、上面４２２を底面４２３に接続する。上面４２２には、押圧部４２５が形成されている。押圧部４２５が外力により押圧されると、検出部材４２０が動作し、測定結果を検出部材４２０内のメモリユニット（図示省略）に記録することができる。押圧部４２５が再び押圧されると、検出部材４２０は動作を停止することができる。
【００２０】
本実施形態において、押圧部４２５は、上面４２２に対して窪んでいる。つまり、上面４２２と底面４２３との間の距離は、押圧部４２５と底面４２３との間の距離よりも大きい。したがって、心電図検査装置Ｅが人体に取り付けられている場合には、心電図検査装置Ｅが衣服で覆われていても、ユーザは、接触することによって押圧部４２５の位置を判別することができる。
【００２１】
検出部材４２０の周面４２４には、接続ポート４２６が形成されている。外部ワイヤを接続ポート４２６に挿入して検出部材４２０を外部デバイス（例えば、コンピュータ）に接続し、検出部材４２０内のデータを外部デバイスに送信することができる。例えば、接続ポート４２６は、ユニバーサルシリアルバス（ＵＳＢ）接続ポートであってもよい。本実施形態において、基部４１０は、接着アセンブリ１００から離れる方向に延在するブロックプレート４１６を有することに留意されたい。検出部材４２０が基部４１０に結合されると、ブロックプレート４１６の位置が接続ポート４２６の位置に対応し、ブロックプレート４１６が接続ポート４２６を遮蔽する。よって、検出部材４２０が動作しているときに、ユーザが外部ワイヤを接続ポート４２６に挿入することができないので、短絡が生じるのを抑制することができる。また、異物が接続ポート４２６に侵入するのを抑制することができる。図３Ｃを参照すると、別の実施形態において、ブロックプレート４１６は、製造誤差や操作エラーによってブロックプレート４１６が接続ポート４２６に対応しないという状況を防止するために、検出部材４２０を囲み、接続ポート４２６の少なくとも一部を遮蔽する。
【００２２】
図３Ａ及び図３Ｂに示すように、検出部材４２０の周面４２４上には、複数のスロット４２７が形成されている。各スロット４２７の長手方向の軸は、検出部材４２０の底面４２３から上面４２２に延在しており、基部４１０の法線方向とほぼ平行である。ユーザは、各スロット４２７によって、検出部材４２０をしっかりと保持し検出部材４２０を基部４１０に対して容易に回転させることができる。
【００２３】
さらに、１つ以上の発光ダイオード４２８を検出部材４２０上に形成することができる。これらの発光ダイオード４２８は、検出部材４２０の開／閉及び動作操作状態に応じて、異なる色又は周波数の光を放射することができる。
【００２４】
図３Ａ及び図３Ｂを参照すると、電源アセンブリ５００は、下部カバー５１０と、上部カバー５２０と、電源部材５３０と、を有する。検出アセンブリ４００と同様に、電源アセンブリ５００の下部カバー５１０は接着アセンブリ１００に固定されており、上部カバー５２０は、下部カバー５１０に対して取り外し可能に接続されている。例えば、下部カバー５１０及び上部カバー５２０は、互いに対応するネジ部５１１，５２１を有することができる。ネジ部５１１，５２１を互いに接続するによって、下部カバー５１０及び上部カバー５２０を結合して、収容空間Ｒを形成することができる。Ｏ型リング５４０は、下部カバー５１０と上部カバー５２０との間に配置されており、これらの間のギャップを埋めることにより、水や異物が侵入するのを抑制することができる。
【００２５】
１つ以上のホール５１２を下部カバー５１０に形成することができ、導電部材５５０は、ホール５１２を介して下部カバー５１０を通過し、プリント回路基板２００に接続して下部カバー５１０上に接点を形成する。導電部材５５０の数はホール５１２の数に対応する。電源部材５３０は、収容空間Ｒ内に配置され、導電部材５５０に接続されている。よって、電源部材５３０は、導電部材５５０、プリント回路基板２００及び導電部材４３０の順に介して、電力を検出部材４２０に供給することができる。
【００２６】
本実施形態において、電源部材５３０は一次電池であり、溶接によって、下部カバー５１０及び導電部材５５０に直接固定することができる。これにより、電源部材５３０が脱落するリスクを低減することができる。いくつかの実施形態において、電源部材５３０は、充電式電池とすることができる。ユーザは、電力が尽きた場合に、電源部材５３０を取り出して、電源部材５３０を再度充電することができる。
【００２７】
図４を参照すると、特に、心電図検査装置Ｅが組み立てられる場合、２つの電極３００が第１方向（Ｘ軸）に沿って配置され、検出アセンブリ４００及び電源アセンブリ５００が第２方向（Ｙ軸）に沿って配置される。２つの電極３００間の距離は、検出アセンブリ４００と電源アセンブリ５００との間の距離よりも大きく、検出アセンブリ４００及び電源アセンブリ５００は互いに離間している（つまり、これらの間にギャップが形成されている）。本実施形態において、第１方向は、第２方向に対してほぼ垂直である。いくつかの実施形態において、第１方向は第２方向と異なっているが、垂直ではない。つまり、第１方向と第２方向との間に鈍角を形成することができる。
【００２８】
次に、心電図検査装置Ｅの使用方法について説明する。心電図検査装置Ｅが使用されていない場合、剥離紙を接着アセンブリ１００の透過層１１０の外側に面する表面に配置することができ、別の剥離紙を接着アセンブリ１００の保護層１２０の外側に面する表面に配置することができる。つまり、２枚の剥離紙の間に接着アセンブリ１００が配置されている。図５に示すように、ユーザが心電図検査装置Ｅを使用する必要がある場合、剥離紙を接着アセンブリ１００から取り外し、接着性のある透過層１１０を用いて、心電図検査装置Ｅを胸部に斜めに取り付けることができる。この場合、電極３００は、人体に接触することができる。特に、電極３００のうち１つは心臓の位置に対応し、２つの電極３００間の第１方向と人体の長手方向の軸との間の角度は、３０〜６０度（例えば、４５度）である。
【００２９】
検出アセンブリ４００及び電源アセンブリ５００が互いに分離しており、両者が第１方向とは異なる第２方向に沿って配置されているので、接着アセンブリ１００を介して心電図検査装置Ｅを人体に取り付ける場合に、検出アセンブリ４００及び電源アセンブリ５００を人体に取り付けることができる。なお、胸部の起伏のために、検出アセンブリ４００又は電源アセンブリ５００が人体に装着されない状況は発生しないであろう。
【００３０】
ユーザが、心電図検査装置Ｅを用いて心臓の電気的活動を記録する必要がある場合（例えば、ユーザの体の調子が悪い場合）、ユーザは、検出部材４２０の押圧部４２５を押圧することができ、検出部材４２０は、心臓の電気的活動を記録することができる。ユーザが心電図検査装置Ｅの記録を停止したい場合、ユーザは、検出部材４２０の押圧部４２５を再度押圧すればよい。
【００３１】
記録後、ユーザは、心電図検査装置Ｅを人体から取り外し、検出部材４２０及び上部カバー５２０の各々を基部４１０及び下部カバー５１０から分離することができる。衛生上の観点から、使用済みの接着アセンブリと、基部４１０及び下部カバー５１０とを廃棄することができる。検出アセンブリ４００の検出部材４２０及び電源アセンブリ５００の上部カバー５２０は、医療廃棄物を減らすために、リサイクル及び再使用することができる。
【００３２】
電源アセンブリ５００の電源部材５３０が取り外し可能である（例えば、充電式電池等）場合、電源部材５３０もリサイクル及び再使用することができる。さらに、使用中に心電図検査装置Ｅの電源部材５３０を交換する必要がある場合、電源アセンブリ５００の上部カバー５２０を下部カバー５１０から分離することができる。古い電源部材５３０を取り出して、新しい電源部材５３０を取り付けることができる。その後、上部カバー５２０を下部カバー５１０に結合することができる。
【００３３】
要約すると、接着アセンブリと、プリント回路基板と、２つの電極と、電源アセンブリと、検出アセンブリと、を含む心電図検査装置が提供される。プリント回路基板は、接着アセンブリ上に配置されている。各電極は、プリント回路基板に接続されており、第１方向に沿って配置されている。電源アセンブリ及び検出アセンブリは、接着アセンブリ上に配置されており、第２方向に沿って配置されている。第１方向は第２方向と異なっており、電源アセンブリ及び前記検出アセンブリは、互いに離間している。
【００３４】
本考案のいくつかの実施形態及びこれらの利点を詳細に説明してきたが、本考案の趣旨及び範囲から逸脱することなく、様々な変更、置換及び修飾が可能であることを理解されたい。例えば、本考案の範囲内に留まりながら、本明細書に記載された特徴、機能、プロセス及び材料の多くを変更可能であることが当業者によって容易に理解されるであろう。さらに、本願の範囲は、本明細書に記載された特定の実施形態のプロセス、機器、製造、組成物、手段、方法及びステップに限定されることを意図していない。当業者が本考案の開示から容易に理解するように、本明細書に記載された対応する実施形態と実質的に同じ機能を実行するか実質的に同じ結果を達成する、現在存在する又は将来開発されるプロセス、機器、製造、組成物、手段、方法又はステップを、本考案に従って利用することができる。したがって、添付の実用新案登録請求の範囲は、このようなプロセス、機器、製造、組成物、手段、方法又はステップを含むことを意図している。さらに、添付の実用新案登録請求の範囲は、そのような全ての変更形態及び類似の構成を包含するように、最も広い解釈で扱われるべきである。
【００３５】
本考案の好ましい実施例を上述したように説明したが、本考案はこれらに限定されないことを理解されたい。それどころか、（当業者には明らかであるように）様々な変更及び類似の構成を包含することが意図されている。したがって、当業者であれば、本考案の思想を逸脱しない範囲で様々な変形を加えることができる。
【符号の説明】
【００３６】
１００…接着アセンブリ
１１０…透過層
１１１…貫通孔
１２０…保護層
２００…プリント回路基板
３００…電極
４００…検出アセンブリ
４１０…基部
４１１…ネジ部
４１２…ホール
４１６…ブロックプレート
４２０…検出部材
４２１…ネジ部
４２２…上面
４２３…底面
４２４…周面
４２５…押圧部
４２６…接続ポート
４２７…スロット
４２８…発光ダイオード
４３０…導電部材
４４０…Ｏ型リング
５００…電源アセンブリ
５１０…下部カバー
５１１…ネジ部
５１２…ホール
５２０…上部カバー
５２１…ネジ部
５３０…電源部材
５４０…Ｏ型リング
５５０…導電部材
Ｅ…心電図検査裝置
Ｒ…収容空間
【図１】
0003220800.tif 000003
【図２】
0003220800.tif 000004
【図３Ａ】
0003220800.tif 000005
【図３Ｂ】
0003220800.tif 000006
【図３Ｃ】
0003220800.tif 000007
【図４】
0003220800.tif 000008
【図５】
0003220800.tif 000009